(57)【要約】【課題】ユーザ所望の人物に関連する情報だけを容易に表示する。【解決手段】表示制御装置１において、人物が含まれる画像を第１の表示領域Ｒ１に表示する制御を行う第１の表示制御手段（第１の表示制御部１０７ａ）と、前記人物を直接指定するユーザ操作とは異なるユーザ操作で、第１の表示領域Ｒ１に表示される人物が含まれる画像の部分を指定する第１の指定手段（第１の指定部１０７ｂ）と、前記第１の指定手段により指定された前記画像の部分に含まれる人物を特定する第１の特定手段（第１の特定部１０７ｃ）と、前記第１の特定手段により特定された人物に係る情報を取得する取得手段（取得部１０７ｄ）と、前記取得手段により取得された人物に係る情報を、第１の表示領域Ｒ１とは異なる第２の表示領域Ｒ２に表示する制御を行う第２の表示制御手段（第２の表示制御部１０７ｅ）と、を備える。【選択図】図１
2018018291.tif 000002
【特許請求の範囲】
【請求項１】
人物が含まれる画像を第１の表示領域に表示する制御を行う第１の表示制御手段と、
前記人物を直接指定するユーザ操作とは異なるユーザ操作で、前記第１の表示領域に表示される人物が含まれる画像の部分を指定する第１の指定手段と、
前記第１の指定手段により指定された前記画像の部分に含まれる人物を特定する第１の特定手段と、
前記第１の特定手段により特定された人物に係る情報を取得する取得手段と、
前記取得手段により取得された人物に係る情報を、前記第１の表示領域とは異なる第２の表示領域に表示する制御を行う第２の表示制御手段と、
を備えることを特徴とする表示制御装置。
【請求項２】
前記第１の表示制御手段は、前記人物が含まれる画像として、当該人物が含まれる元画像の少なくとも一部を第１の表示領域に表示する制御を行い、
前記第１の指定手段は、前記第１の表示領域に表示される前記元画像の前記一部の部分を変化させるユーザ操作により、当該第１の表示領域に表示される前記画像の部分を指定することを特徴とする請求項１に記載の表示制御装置。
【請求項３】
前記第１の指定手段は、前記第１の表示領域に表示される前記元画像の前記部分の広さ、或いは前記元画像の前記部分の位置を変化させるユーザ操作により、当該第１の表示領域に表示される前記画像の部分を指定することを特徴とする請求項２に記載の表示制御装置。
【請求項４】
前記第１の指定手段は、前記第１の表示領域に表示されている前記画像内の少なくとも一部を指定するユーザ操作により、当該第１の表示領域に表示される前記画像の部分を指定することを特徴とする請求項１に記載の表示制御装置。
【請求項５】
前記取得手段は、前記第１の特定手段により特定された人物が複数である場合に、当該複数の人物の各々に係る情報を取得し、
前記第２の表示制御手段は、前記取得手段により取得された前記複数の人物の各々に係る情報を識別可能に、前記第２の表示領域に表示する制御を行うことを特徴とする請求項１〜４の何れか一項に記載の表示制御装置。
【請求項６】
前記取得手段は、前記第１の特定手段により特定された人物が複数である場合に、当該複数の人物の各々に係る情報を取得し、
前記取得手段により取得された前記複数の人物の各々に係る情報を１つの情報に集約する処理を行う集約手段を、更に備え、
前記第２の表示制御手段は、前記集約手段により集約された１つの情報を、前記第２の表示領域に表示する制御を行うことを特徴とする請求項１〜４の何れか一項に記載の表示制御装置。
【請求項７】
前記第１の表示制御手段は、前記人物が含まれる画像としての動画像を第１の表示領域に表示する制御を行い、
前記第１の特定手段は、前記第１の指定手段により指定された前記動画像の部分に含まれる人物を逐次特定し、
前記取得手段は、前記第１の特定手段により逐次特定された前記人物に係る情報を逐次取得し、
前記第２の表示制御手段は、前記取得手段により逐次取得された前記人物に係る情報を、前記第２の表示領域に逐次表示する制御を行うことを特徴とする請求項１〜６の何れか一項に記載の表示制御装置。
【請求項８】
前記第２の表示領域に識別可能に表示されている前記複数の人物の各々に係る情報の中から一部の人物に係る情報を指定する第２の指定手段と、
前記第２の指定手段により指定された前記一部の人物に係る情報と対応する人物を特定する第２の特定手段と、を更に備え、
前記第１の表示制御手段は、前記第２の特定手段により特定された前記一部の人物のみが含まれる画像を前記第１の表示領域に表示する制御を行うことを特徴とする請求項５に記載の表示制御装置。
【請求項９】
人物が含まれる画像を第１の表示領域に表示する制御を行う処理と、
前記人物を直接指定するユーザ操作とは異なるユーザ操作で、前記第１の表示領域に表示される人物が含まれる画像の部分を指定する処理と、
指定された前記画像の部分に含まれる人物を特定する処理と、
特定された人物に係る情報を取得する処理と、
取得された人物に係る情報を、前記第１の表示領域とは異なる第２の表示領域に表示する制御を行う処理と、
を含むことを特徴とする表示制御方法。
【請求項１０】
コンピュータに、
人物が含まれる画像を第１の表示領域に表示する制御を行う第１の表示制御機能、
前記人物を直接指定するユーザ操作とは異なるユーザ操作で、前記第１の表示領域に表示される人物が含まれる画像の部分を指定する第１の指定機能、
前記第１の指定機能により指定された前記画像の部分に含まれる人物を特定する第１の特定機能、
前記第１の特定機能により特定された人物に係る情報を取得する取得機能、
前記取得機能により取得された人物に係る情報を、前記第１の表示領域とは異なる第２の表示領域に表示する制御を行う第２の表示制御機能、
を実現させることを特徴とするプログラム。
【発明の詳細な説明】
【技術分野】
【０００１】
本発明は、表示制御装置、表示制御方法及びプログラムに関する。
【背景技術】
【０００２】
従来、運動活動中の人物に関連するデータを同期させて表示するマルチデータプレイヤと呼ばれる装置が知られている（例えば、特許文献１参照）。
【先行技術文献】
【特許文献】
【０００３】
【特許文献１】特開２０１４−１４６８３号公報
【発明の概要】
【発明が解決しようとする課題】
【０００４】
上記特許文献１に開示されている装置は、複数の人物の各々に関連するデータを同期させて表示することができるが、任意の人物のみを選択して、この人物に関連するデータだけを同期させて表示するための操作が面倒であるという問題がある。
【０００５】
本発明は、このような問題に鑑みてなされたものであり、ユーザ所望の人物に関連する情報だけを容易に表示することを目的とする。
【課題を解決するための手段】
【０００６】
上記課題を解決するため、本発明に係る表示制御装置は、
人物が含まれる画像を第１の表示領域に表示する制御を行う第１の表示制御手段と、
前記人物を直接指定するユーザ操作とは異なるユーザ操作で、前記第１の表示領域に表示される人物が含まれる画像の部分を指定する第１の指定手段と、
前記第１の指定手段により指定された前記画像の部分に含まれる人物を特定する第１の特定手段と、
前記第１の特定手段により特定された人物に係る情報を取得する取得手段と、
前記取得手段により取得された人物に係る情報を、前記第１の表示領域とは異なる第２の表示領域に表示する制御を行う第２の表示制御手段と、
を備えることを特徴とする。
【発明の効果】
【０００７】
本発明によれば、ユーザ所望の人物に関連する情報だけを容易に表示することができる。
【図面の簡単な説明】
【０００８】
【図１】本発明を適用した一実施形態の表示制御装置の概略構成を示すブロック図である。
【図２】（ａ）は、ＡさんとＢさんが含まれる元画像が第１の表示領域Ｒ１に表示されるとともに、ＡさんとＢさんの各々に係る第１の情報が第２の表示領域Ｒ２に表示された状態の一例を示す図であり、（ｂ）は、Ａさんが含まれる画像の部分を指定する際のユーザによるタッチパネルへのピンチ操作を説明するための図であり、（ｃ）は、Ａさんが含まれる画像の部分を指定する際のユーザによるタッチパネルへのスワイプ操作を説明するための図であり、（ｄ）は、Ａさんのみが含まれる元画像の一部が第１の表示領域Ｒ１に表示されるとともに、Ａさんに係る第１の情報が第２の表示領域Ｒ２に表示された状態の一例を示す図である。
【図３】図１の表示制御装置による表示制御処理の一例を示すフローチャートである。
【発明を実施するための形態】
【０００９】
以下に、本発明について、図面を用いて具体的な態様を説明する。ただし、発明の範囲は、図示例に限定されない。 
【００１０】
図１は、本発明を適用した一実施形態の表示制御装置１の概略構成を示すブロック図である。
本実施形態の表示制御装置１は、例えば、タブレットなどのタッチパネルを具備するコンピュータにより構成され、中央制御部１０１と、メモリ１０２と、記憶部１０３と、表示部１０４と、操作入力部１０５と、通信制御部１０６と、動作処理部１０７とを備えている。
また、中央制御部１０１、メモリ１０２、記憶部１０３、表示部１０４、操作入力部１０５、通信制御部１０６及び動作処理部１０７は、バスライン１０８を介して接続されている。
【００１１】
中央制御部１０１は、表示制御装置１の各部を制御するものである。具体的には、中央制御部１０１は、図示は省略するが、ＣＰＵ（Central Processing Unit）等を備え、表示制御装置１用の各種処理プログラム（図示略）に従って各種の制御動作を行う。
【００１２】
メモリ１０２は、例えば、ＤＲＡＭ（Dynamic Random Access Memory）等により構成され、中央制御部１０１、動作処理部１０７等によって処理されるデータ等を一時的に格納する。
【００１３】
記憶部１０３は、例えば、ＳＳＤ（Solid State Drive）等から構成され、図示しない画像処理部により所定の圧縮形式（例えば、ＪＰＥＧ形式、ＭＰＥＧ形式等）で符号化された静止画像や動画像の画像データを記録する。
本実施形態において、記憶部１０３は、動画像の画像データとして、例えば、図２（ａ）に示すように、複数の人物（ＡさんＰ１とＢさんＰ２）がエアロビクスダンスを行っている動画像の画像データを記録するとともに、この動画像に含まれる複数の人物（ＡさんＰ１とＢさんＰ２）の各々に関連する情報を、当該動画像の画像データが記録されるファイルとは別のファイルに、この動画像の再生時間と同期できるように記録している。ここで、動画像に含まれる人物に関連する情報とは、当該人物が所持又は着用しているセンサ装置（表示制御装置１とは異なる装置）に内蔵されている各種センサ（加速度センサ、心拍センサ、温度（体温）センサ、ＧＰＳ等）により逐次取得される情報をいう。また、動画像に含まれる人物に関連する情報は、第１の情報と第２の情報とに分けられる。第１の情報は、後述する表示パネル１０４ａの第２の表示領域Ｒ２に表示される情報であり、上記の加速度センサ、心拍センサ、温度センサ等から取得される運動活動に係る情報である。第２の情報は、動画像を構成するフレーム画像内における複数の人物の各々の位置座標（ピクセル座標）を示す情報である。この第２の情報は、動画像に含まれる複数の人物の各々が所持又は着用している上記センサ装置のＧＰＳや加速度センサ等から取得される情報と、当該動画像を撮影したときの撮像画角に関する情報とを使用して取得される。
なお、記憶部１０３は、例えば、記録媒体（図示略）が着脱自在に構成され、装着された記録媒体からのデータの読み出しや記録媒体に対するデータの書き込みを制御する構成であっても良い。
【００１４】
表示部１０４は、表示パネル１０４ａの表示領域に画像等を表示する。
すなわち、表示部１０４は、図示しない画像処理部により復号された所定サイズの画像データに基づいて、動画像や静止画像を表示パネル１０４ａの表示領域に表示する。
本実施形態において、表示部１０４は、例えば、図２（ａ）に示すように、上述した複数の人物（ＡさんＰ１とＢさんＰ２）がエアロビクスダンスを行っている動画像を、表示パネル１０４ａの第１の表示領域Ｒ１に表示するとともに、この動画像に含まれる複数の人物（ＡさんＰ１とＢさんＰ２）の各々に関連する第１の情報（A’s DataとB’s  Data）を、表示パネル１０４ａの第２の表示領域Ｒ２に表示する。
【００１５】
なお、表示パネル１０４ａは、例えば、液晶表示パネルや有機ＥＬ（Electro-Luminescence）表示パネル等から構成されているが、一例であってこれらに限られるものではない。
【００１６】
操作入力部１０５は、当該表示制御装置１の所定操作を行うためのものである。具体的には、操作入力部１０５は、電源のＯＮ／ＯＦＦ操作に係る電源ボタン、各種のモードや機能等の選択指示に係るボタン等（何れも図示略）を備えている。
そして、ユーザにより各種ボタンが操作されると、操作入力部１０５は、操作されたボタンに応じた操作指示を中央制御部１０１に出力する。中央制御部１０１は、操作入力部１０５から出力され入力された操作指示に従って所定の動作（例えば、動画像の再生等）を各部に実行させる。
【００１７】
また、操作入力部１０５は、表示部１０４の表示パネル１０４ａと一体となって設けられたタッチパネル１０５ａを有している。
タッチパネル１０５ａは、表示パネル１０４ａの表示領域をなす表示画面に直接的若しくは間接的に接触するユーザの指（手）やタッチペン等の接触位置を検出する。すなわち、タッチパネル１０５ａは、例えば、表示パネル１０４ａの表示画面上或いは当該表示画面よりも内側に設けられ、静電容量方式、抵抗膜方式、超音波表面弾性波方式等の各種方式により、表示画面上における接触位置のＸＹ座標を所定のサンプリング周期で検出する。そして、タッチパネル１０５ａは、接触位置のＸＹ座標に係る位置信号を動作処理部１０７に出力する。
【００１８】
通信制御部１０６は、通信アンテナ１０６ａ及び通信ネットワークを介してデータの送受信を行う。
すなわち、通信アンテナ１０６ａは、当該表示制御装置１が無線基地局（図示略）との通信で採用している所定の通信方式（例えば、Ｗ−ＣＤＭＡ（Wideband Code Division Multiple Access）方式、ＣＤＭＡ２０００方式、ＧＳＭ（Global System for Mobile Communications；登録商標）方式等）に対応したデータの送受信が可能なアンテナである。そして、通信制御部１０６は、所定の通信方式に対応する通信プロトコルに従って、この通信方式で設定される通信チャネルにより無線基地局との間で通信アンテナ１０６ａを介してデータの送受信を行う。
通信ネットワークは、例えば、表示制御装置１を無線基地局やゲートウェイサーバ（図示略）等を介して外部装置と接続する通信ネットワークである。また、通信ネットワークは、専用線や既存の一般公衆回線を利用して構築された通信ネットワークであり、ＷＡＮ（Wide Area Network）やＬＡＮ（Local Area Network）等の様々な回線形態を適用することが可能である。
【００１９】
なお、上記した通信制御部１０６の構成は、一例であってこれに限られるものではなく、適宜任意に変更可能であり、例えば、図示は省略するが、無線ＬＡＮモジュールやBluetooth（登録商標）モジュールを搭載しても良い。
すなわち、無線ＬＡＮモジュールは、アクセスポイント（図示略）を介して通信ネットワークにアクセス可能な構成としても良いし、アクセスポイントを経由せずに直接外部装置との間で無線通信回線を構築するPeer to Peer（アドホックモード）で動作しても良い。また、Bluetoothモジュールは、Bluetoothの通信規格に基づいて、外部装置との間で同期通信方式の無線通信を行っても良い。
【００２０】
動作処理部１０７は、第１の表示制御部１０７ａと、第１の指定部１０７ｂと、第１の特定部１０７ｃと、取得部１０７ｄと、第２の表示制御部１０７ｅと、集約部１０７ｆと、第２の指定部１０７ｇと、第２の特定部１０７ｈとを具備している。
なお、動作処理部１０７の各部は、例えば、所定のロジック回路から構成されているが、当該構成は一例であってこれに限られるものではない。
【００２１】
第１の表示制御部１０７ａは、動画像等を表示パネル１０４ａの第１の表示領域Ｒ１に表示する制御を行う。
すなわち、第１の表示制御部（第１の表示制御手段）１０７ａは、上述した複数の人物が含まれる画像（動画像）を表示パネル１０４ａの第１の表示領域Ｒ１に表示する制御を行う。
具体的には、ユーザによる操作入力部１０５の所定操作に基づいて、所望の複数の人物が含まれる動画像の画像データが指定された場合、第１の表示制御部１０７ａは、当該複数の人物が含まれる動画像（図２（ａ）参照）を表示パネル１０４ａの第１の表示領域Ｒ１に表示する制御を行う。
【００２２】
また、第１の表示制御部１０７ａは、ユーザによるタッチパネル１０５ａの所謂ピンチ操作に基づいて、第１の表示領域Ｒ１に表示されている画像（フレーム画像）を拡大又は縮小することができる。ここで、ピンチ操作とは、２本の指（例えば、親指と人差し指）でつまむ操作を意味する。具体的には、ピンチ操作には、タッチパネル１０５ａを２本の指で押したまま、その間を広げて拡大するピンチアウト操作と、タッチパネル１０５ａを２本の指で押したまま、その間を縮めて縮小するピンチイン操作とがある。
なお、本実施形態では、一般的な拡大縮小の表示制御とは異なり、第１の表示制御部１０７ａは、例えば、ユーザによるタッチパネル１０５ａの所謂ピンチイン操作に基づいて、第１の表示領域Ｒ１に表示されている元画像を、この元画像のサイズよりも小さいサイズに縮小して表示する制御を行うことができる。かかる場合、第１の表示制御部１０７ａは、表示領域外となった余白部分に関しては、単色（白、黒、青等）の画像を表示する制御を行う。
【００２３】
また、第１の表示制御部１０７ａは、ユーザによるタッチパネル１０５ａの所謂スワイプ操作に基づいて、第１の表示領域Ｒ１に表示されている画像（フレーム画像）をスクロール表示することができる。ここで、スワイプ操作とは、タッチパネル１０５ａに触れた状態で指を滑らせる操作を意味する。
なお、本実施形態では、一般的なスクロール表示制御とは異なり、第１の表示制御部１０７ａは、例えば、ユーザによるタッチパネル１０５ａの所謂スワイプ操作に基づいて、第１の表示領域Ｒ１に表示されている元画像を、この元画像の全てが表示領域外とならない範囲でスクロール表示する制御を行うことができる。この場合も同様に、第１の表示制御部１０７ａは、表示領域外となった余白部分に関しては、単色（白、黒、青等）の画像を表示する制御を行う。
【００２４】
第１の指定部１０７ｂは、表示パネル１０４ａの第１の表示領域Ｒ１に表示されている画像（動画像を構成するフレーム画像）に含まれる人物を指定する。
すなわち、第１の指定部（第１の指定手段）１０７ｂは、上記人物を直接指定するユーザ操作とは異なるユーザ操作で、第１の表示領域Ｒ１に表示される人物が含まれる画像の部分を指定することにより、第１の表示領域Ｒ１に表示されている画像に含まれる人物を指定する。
具体的には、第１の指定部１０７ｂは、例えば、図２（ｂ）に示すように、ユーザによるタッチパネル１０５ａの所謂ピンチアウト操作に基づいて、第１の表示領域Ｒ１の左側に表示されているＡさんＰ１を拡大表示させるとともに、図示は省略するが、ユーザによるタッチパネル１０５ａの所謂スワイプ操作に基づいて、図２（ｄ）に示すように、ＡさんＰ１が第１の表示領域Ｒ１の中央に位置するようにスクロール表示させることにより、ＡさんＰ１が含まれる画像の部分を指定する。これにより、第１の指定部１０７ｂは、第１の表示領域Ｒ１に表示されている画像に含まれる人物を指定する。
【００２５】
なお、ユーザによるタッチパネル１０５ａの所謂タッチホールド操作（長押し操作）に基づいて、例えば、描画モードへ移行可能とし、第１の指定部１０７ｂは、この描画モードにおいて、図２（ｃ）に示すように、ユーザによるタッチパネル１０５ａの所謂スワイプ操作に基づいて、当該スワイプ操作の軌跡により形成される閉空間によってＡさんＰ１が含まれる画像の部分を指定するようにしてもよい。これにより、ユーザ所望の人物が含まれる画像の部分を指定し易くなる。
また、第１の指定部１０７ｂは、ユーザが指定する画像の部分に含まれる人物は一人だけに限らず、複数人となるようにも指定できる。
【００２６】
第１の特定部１０７ｃは、第１の指定部１０７ｂにより指定された画像（動画像を構成するフレーム画像）の部分に含まれる人物を特定する。
すなわち、第１の特定部（第１の特定手段）１０７ｃは、動画像が表示されている間、第１の指定部１０７ｂにより指定された画像の部分に含まれる人物を逐次特定する。
具体的には、第１の特定部１０７ｃは、フレーム画像が切り替わる毎に、当該フレーム画像が表示される時間（再生時間）における複数の人物（ＡさんＰ１とＢさんＰ２）の各々に関連する第２の情報、すなわち当該複数の人物の各々の位置座標（ピクセル座標）を示す情報（例えば、顔の中心座標）を記憶部１０３から読み出す。そして、第１の特定部１０７ｃは、複数の人物（ＡさんＰ１とＢさんＰ２）の各々の位置座標を中心とする所定の領域（例えば、少なくとも顔が切れない程度の領域）が第１の指定部１０７ｂにより指定された画像の部分に含まれるか否かを判定する。そして、第１の特定部１０７ｃは、第１の指定部１０７ｂにより指定された画像の部分に含まれると判定された位置座標に対応する人物を特定する。
なお、第１の特定部１０７ｃは、第１の指定部１０７ｂで指定された画像の部分に含まれる人物が複数の場合は、複数の人物の各々を特定する。
【００２７】
取得部（取得手段）１０７ｄは、第１の特定部１０７ｃにより逐次特定された人物に係る情報を取得する。
具体的には、取得部１０７ｄは、第１の特定部１０７ｃにより逐次特定された人物の第１の情報、すなわち表示パネル１０４ａの第２の表示領域Ｒ２に表示される情報（運動活動に係る情報）を記憶部１０３から取得する。また、取得部１０７ｄは、第１の特定部１０７ｃにより逐次特定された人物が複数である場合、当該複数の人物の各々に係る第１の情報を記憶部１０３から取得する。
【００２８】
第２の表示制御部１０７ｅは、上述した第１の情報（運動活動に係る情報）を表示パネル１０４ａの第２の表示領域Ｒ２に表示する制御を行う。
すなわち、第２の表示制御部（第２の表示制御手段）１０７ｅは、取得部１０７ｄにより取得された第１の情報を、表示パネル１０４ａの第１の表示領域Ｒ１とは異なる第２の表示領域Ｒ２に表示する制御を行う。
具体的には、例えば、図２（ｄ）に示すように、第１の特定部１０７ｃにより、第１の表示領域Ｒ１に表示されている画像（動画像を構成するフレーム画像）に含まれる人物がＡさんＰ１であると特定され、取得部１０７ｄにより、ＡさんＰ１の第１の情報が取得された場合、第２の表示制御部１０７ｅは、ＡさんＰ１の第１の情報（A’s Data）を第２の表示領域Ｒ２に表示する制御を行う。また、図２（ａ）に示すように、第１の特定部１０７ｃにより、第１の表示領域Ｒ１に表示されている画像（動画像を構成するフレーム画像）に含まれる人物がＡさんＰ１とＢさんＰ２の複数であると特定され、取得部１０７ｄにより、ＡさんＰ１とＢさんＰ２の各々の第１の情報が取得された場合、第２の表示制御部１０７ｅは、ＡさんＰ１の第１の情報（A’s Data）とＢさんＰ２の第１の情報（B’s Data）とを識別可能に第２の表示領域Ｒ２に表示する制御を行う。
また、第２の表示制御部１０７ｅは、第２の表示領域Ｒ２に複数の人物の各々の第１の情報を表示する場合に、合わせて後述する「平均」ボタンＢを表示する制御を行う。
【００２９】
集約部（集約手段）１０７ｆは、複数の人物の各々の第１の情報（運動活動に係る情報）を１つの情報に集約する処理を行う。
具体的には、図２（ａ）〜（ｃ）に示すように、第２の表示領域Ｒ２に表示されている「平均」ボタンＢの操作（例えば、タッチ操作）がユーザによりなされた場合、集約部１０７ｆは、例えば、ＡさんＰ１の加速度データを示すA’s DataとＢさんＰ２の加速度データを示すB’s Dataとを平均化した平均データ（図示省略）を算出する。そして、第２の表示制御部１０７ｅは、集約部１０７ｆにより平均化された平均データを第２の表示領域Ｒ２に表示する制御を行う。「平均」ボタンＢは、トグル形式のボタンであり、第２の表示領域Ｒ２に上記平均データが表示されている際に、「平均」ボタンＢの操作（例えば、タッチ操作）がユーザによりなされた場合、第２の表示制御部１０７ｅは、第２の表示領域Ｒ２の表示態様を元の表示態様、すなわちＡさんＰ１のA’s DataとＢさんＰ２のB’s Dataを表示した状態に戻す制御を行う。
【００３０】
第２の指定部１０７ｇは、ユーザ所望の一部の人物の第１の情報を指定する。
すなわち、第２の指定部（第２の指定手段）１０７ｇは、表示パネル１０４ａの第２の表示領域Ｒ２に複数の人物の各々に係る第１の情報が識別可能に表示されている場合に、それらの中から一部の人物に係る第１の情報を指定する。
具体的には、例えば、図２（ａ）に示すように、第２の表示領域Ｒ２の上部に表示された「A’s Data」又は「B’s Data」の文字がユーザにより操作（例えば、タッチ操作）されることにより、第２の指定部１０７ｇは、ユーザにより操作がなされた文字（「A’s Data」又は「B’s Data」）に対応する人物（ＡさんＰ１又はＢさんＰ２）の第１の情報を指定する。
【００３１】
第２の特定部１０７ｈは、第２の指定部１０７ｇにより指定された一部の人物に係る第１の情報と対応する人物を特定する。
すなわち、表示パネル１０４ａの第２の表示領域Ｒ２に複数の人物の各々に係る第１の情報が識別可能に表示されている場合において、第２の指定部１０７ｇにより、それらの中から一部の人物に係る第１の情報が指定されたとき、第２の特定部（第２の特定手段）１０７ｈは、当該一部の人物に係る第１の情報と対応する人物を特定する。
具体的には、図２（ａ）に示すように、第２の表示領域Ｒ２の上部に「A’s Data」と「B’s Data」の文字が表示されている状況において、例えば、「A’s Data」の文字がユーザにより操作（例えば、タッチ操作）された場合、つまり、第２の指定部１０７ｇによりＡさんＰ１に係る第１の情報（A’s Data）が指定された場合、第２の特定部１０７ｈは、この第１の情報（A’s Data）に対応する人物としてＡさんＰ１を特定する。
【００３２】
そして、第２の特定部１０７ｈによって、第２の指定部１０７ｇにより指定された一部の人物に係る第１の情報と対応する人物が特定された場合、第１の表示制御部１０７ａは、当該人物のみが含まれる画像を表示パネル１０４ａの第１の表示領域Ｒ１に表示する制御を行う。
具体的には、第２の特定部１０７ｈによって、例えば、ＡさんＰ１が特定された場合、第１の表示制御部１０７ａは、表示パネル１０４ａの第１の表示領域Ｒ１に表示されている画像の元画像に含まれる複数の人物（ＡさんＰ１及びＢさんＰ２）の各々に関連する第２の情報、すなわち位置座標（ピクセル座標）を示す情報を記憶部１０３から逐次読み出す。そして、第１の表示制御部１０７ａは、上記位置座標（ピクセル座標）を示す情報を読み出す毎に、ＡさんＰ１の位置座標のみが第１の表示領域Ｒ１に含まれ、ＢさんＰ２の位置座標が第１の表示領域Ｒ１に含まれないように、表示する元画像の一部分の大きさ及び表示位置を変更することによって、ＡさんＰ１のみが含まれる画像（元画像の一部分）を第１の表示領域Ｒ１に表示させる。
【００３３】
次に、本実施形態の表示制御装置１で実行される表示制御処理について説明する。図３は、表示制御処理の一例を示すフローチャートである。
【００３４】
図３に示すように、先ず、ユーザによる操作入力部１０５の所定操作に基づいて、記憶部１０３に記録されている動画像のうち、表示対象となる動画像の画像データが指定されると（ステップＳ１）、第１の表示制御部１０７ａは、指定された動画像の画像データを記憶部１０３から読み出して、図示しない画像処理部により復号された動画像を構成する複数のフレーム画像を所定の再生フレームレート（例えば、３０ｆｐｓ等）で表示パネル１０４ａの第１の表示領域Ｒ１（図２（ａ）参照）に表示する制御を行う（ステップＳ２）。
【００３５】
次いで、第１の指定部１０７ｂは、ユーザによるタッチパネル１０５ａの所定操作（例えば、ピンチ操作、スワイプ操作等）に基づき、第１の表示領域Ｒ１に表示される人物が含まれる画像（フレーム画像）の部分を指定する（ステップＳ３）。ここで、ユーザによるタッチパネル１０５ａの所定操作が行われない場合、第１の指定部１０７ｂは、このときに第１の表示領域Ｒ１に表示されている画像の部分を指定することとなる。つまり、第１の表示領域Ｒ１への動画像の表示当初は、ユーザによるタッチパネル１０５ａの所定操作が行われない限り、第１の指定部１０７ｂは、当該動画像を構成するフレーム画像の全範囲、すなわち元画像の全部分を指定することとなる。
【００３６】
次いで、第１の特定部１０７ｃは、第１の指定部１０７ｂにより指定された画像の部分に含まれる人物を特定する（ステップＳ４）。そして、取得部１０７ｄは、第１の特定部１０７ｃにより特定された人物の第１の情報（運動活動に係る情報）を記憶部１０３から取得する（ステップＳ５）。そして、第２の表示制御部１０７ｅは、取得部１０７ｄにより取得された第１の情報を表示パネル１０４ａの第２の表示領域Ｒ２に表示する制御を行う（ステップＳ６）。
【００３７】
具体的には、例えば、図２（ｄ）に示すように、ユーザによるタッチパネル１０５ａの所定操作に基づき、第１の表示領域Ｒ１においてＡさんＰ１が含まれる画像（フレーム画像）の部分が指定された場合、第１の特定部１０７ｃは、当該画像に含まれる人物として、ＡさんＰ１を特定する（ステップＳ４）。そして、取得部１０７ｄは、第１の特定部１０７ｃにより特定されたＡさんＰ１の第１の情報（A’s Data）を記憶部１０３から取得する（ステップＳ５）。そして、第２の表示制御部１０７ｅは、取得部１０７ｄにより取得された第１の情報（A’s Data）を表示パネル１０４ａの第２の表示領域Ｒ２に表示させる（ステップＳ６）。
【００３８】
次いで、中央制御部１０１は、複数の人物の各々に係る第１の情報が第２の表示領域Ｒ２に表示されているか否かを判定する（ステップＳ７）。
ステップＳ７において、複数の人物の各々に係る第１の情報が第２の表示領域Ｒ２に表示されていない、すなわち一の人物に係る第１の情報のみが表示されていると判定された場合（ステップＳ７；ＮＯ）は、ステップＳ１４に移行する。
一方、ステップＳ７において、複数の人物の各々に係る第１の情報が第２の表示領域Ｒ２に表示されていると判定された場合（ステップＳ７；ＹＥＳ）、第２の表示制御部１０７ｅは、第２の表示領域Ｒ２に「平均」ボタンＢを表示する制御を行う（ステップＳ８）。
次いで、集約部１０７ｆは、「平均」ボタンＢのタッチ操作がなされたか否かを判定する（ステップＳ９）。
【００３９】
ステップＳ９において、「平均」ボタンＢのタッチ操作がなされたと判定された場合（ステップＳ９；ＹＥＳ）、集約部１０７ｆは、複数の人物の各々に係る第１の情報（例えば、Ａさんの加速度データを示すA’s DataとＢさんの加速度データを示すB’s Data）を平均化した平均データを算出し、第２の表示制御部１０７ｅは、集約部１０７ｆにより平均化された平均データを第２の表示領域Ｒ２に表示する制御を行い（ステップＳ１０）、ステップＳ１１に移行する。
一方、ステップＳ９において、「平均」ボタンＢのタッチ操作がなされていないと判定された場合（ステップＳ９；ＮＯ）は、ステップＳ１０をスキップして、ステップＳ１１に移行する。
【００４０】
次いで、第２の指定部１０７ｇは、表示パネル１０４ａの第２の表示領域Ｒ２に表示されている複数の人物の各々に係る第１の情報のうちの一の第１の情報に対してタッチ操作がなされたか否かを判定する（ステップＳ１１）。
ステップＳ１１において、一の第１の情報に対してタッチ操作がなされていないと判定された場合（ステップＳ１１；ＮＯ）は、ステップＳ１４に移行する。
一方、ステップＳ１１において、一の第１の情報に対してタッチ操作がなされたと判定された場合（ステップＳ１１；ＹＥＳ）、第２の特定部１０７ｈは、第２の指定部１０７ｇにより指定された一の第１の情報と対応する人物を特定する（ステップＳ１２）。
具体的には、図２（ａ）に示すように、第２の表示領域Ｒ２の上部に「A’s Data」と「B’s Data」の文字が表示されている状況において、例えば、「A’s Data」の文字がユーザによりタッチ操作された場合（ステップＳ１１；ＹＥＳ）、つまり、第２の指定部１０７ｇによりＡさんＰ１に係る第１の情報（A’s Data）が指定された場合、第２の特定部１０７ｈは、この第１の情報（A’s Data）に対応する人物としてＡさんＰ１を特定する。
【００４１】
次いで、第１の表示制御部１０７ａは、第２の特定部１０７ｈにより特定された人物のみが含まれる画像を表示パネル１０４ａの第１の表示領域Ｒ１に表示する制御を行う（ステップＳ１３）。
【００４２】
次いで、動作処理部１０７は、動画像の表示が終了したか否かを判定する（ステップＳ１４）。ここで、動画像の表示の終了態様には、動画像の表示時間が終了時間に達したことによる終了態様と、ユーザによる操作入力部１０５の所定操作に基づく終了態様とがある。
ステップＳ１４において、動画像の表示が終了していないと判定された場合（ステップＳ１４；ＮＯ）は、ステップＳ３に移行して、それ以降の処理を繰り返し行う。
一方、ステップＳ１４において、動画像の表示が終了したと判定された場合（ステップＳ１４；ＹＥＳ）は、表示制御処理を終了する。
【００４３】
以上のように、本実施形態の表示制御装置１は、人物（ＡさんＰ１，ＢさんＰ２）が含まれる画像を表示パネル１０４ａの第１の表示領域Ｒ１に表示する制御を行う。また、表示制御装置１は、当該人物を直接指定するユーザ操作とは異なるユーザ操作で、第１の表示領域Ｒ１に表示される人物が含まれる画像の部分を指定し、指定された画像の部分に含まれる人物を特定する。また、表示制御装置１は、特定された人物に係る情報（第１の情報）を取得し、取得された人物に係る情報を、第１の表示領域Ｒ１とは異なる第２の表示領域Ｒ２に表示する制御を行う。
このため、本実施形態の表示制御装置１にあっては、第１の表示領域Ｒ１において、ユーザ所望の人物が含まれる画像の部分を指定することにより、当該人物に係る情報（第１の情報）を第２の表示領域Ｒ２に表示することができるようになるので、ユーザ所望の人物に関連する情報だけを容易に表示することができる。また、第２の表示領域Ｒ２に表示している情報に対応する人物のみが、第１の表示領域Ｒ１に含まれているため、人物とその人物に関連する情報との対応を識別しやすくすることができる。
【００４４】
また、本実施形態の表示制御装置１は、人物が含まれる画像として、当該人物が含まれる元画像の少なくとも一部を第１の表示領域Ｒ１に表示する制御を行い、第１の表示領域Ｒ１に表示される元画像の部分を変化させるユーザ操作により、第１の表示領域Ｒ１に表示される画像の部分を指定するので、ユーザ所望の人物が含まれる画像の部分を指定し易くなり、当該人物に関連する情報（第１の情報）だけをより容易に表示することができる。
【００４５】
また、本実施形態の表示制御装置１は、第１の表示領域Ｒ１に表示される元画像の部分の広さを変化させるピンチ操作により、或いは元画像の部分の位置を変化させるスワイプ操作により、第１の表示領域Ｒ１に表示される画像の部分を指定するので、当該画像の部分の指定に係る操作性を向上させることができ、ユーザ所望の人物に関連する情報（第１の情報）だけをより一層容易に表示することができる。
【００４６】
また、本実施形態の表示制御装置１は、描画モードにおけるスワイプ操作により、第１の表示領域Ｒ１に表示される画像の部分を指定するので、当該画像の部分の指定に係る操作性を向上させることができ、ユーザ所望の人物に関連する情報（第１の情報）だけをより一層容易に表示することができる。
【００４７】
また、本実施形態の表示制御装置１は、第１の表示領域Ｒ１において特定された人物が複数である場合に、当該複数の人物の各々に係る情報（第１の情報）を取得し、当該複数の人物の各々に係る情報を識別可能に、第２の表示領域Ｒ１に表示する制御を行うので、ユーザ所望の人物が複数である場合、これらの人物が含まれる画像の部分をそれぞれ指定する手間を省くことができる。
【００４８】
また、本実施形態の表示制御装置１は、第１の表示領域Ｒ１において特定された人物が複数である場合に、当該複数の人物の各々に係る情報（第１の情報）を取得し、当該複数の人物の各々に係る情報を１つの情報に集約する処理を行い、集約された１つの情報を、第２の表示領域Ｒ２に表示する制御を行うことができるので、ユーザ所望の人物が複数である場合、これらの人物に係る情報（第１の情報）の使い勝手を向上させることができる。
【００４９】
また、本実施形態の表示制御装置１は、人物が含まれる画像としての動画像を第１の表示領域Ｒ１に表示する制御を行う。また、表示制御装置１は、第１の表示領域Ｒ１において動画像の部分に含まれる人物を逐次特定する。また、表示制御装置１は、特定された当該人物に係る情報（第１の情報）を逐次取得し、当該人物に係る情報を、第２の表示領域Ｒ１に逐次表示する制御を行う。
このため、第１の表示領域Ｒ１において、ユーザ所望の人物が含まれる画像の部分を一度指定することにより、動画像が表示されている間、当該人物に係る情報（第１の情報）を第２の表示領域Ｒ２に逐次表示することができるようになるので、ユーザ所望の人物に関連する情報（第１の情報）だけを容易に表示することができる。
【００５０】
また、本実施形態の表示制御装置１は、第２の表示領域Ｒ２に複数の人物の各々に係る情報（第１の情報）が識別可能に表示されている場合に、それらの中から一部の人物に係る情報を指定し、指定された一部の人物に係る情報と対応する人物を特定する。また、表示制御装置１は、特定された一部の人物のみが含まれる画像を第１の表示領域Ｒ１に表示する制御を行う。
このため、第２の表示領域Ｒ２において、ユーザ所望の人物に係る情報を指定することによっても、当該人物が含まれる画像の部分を指定することができる。
【００５１】
なお、本発明は、上記実施形態に限定されることなく、本発明の趣旨を逸脱しない範囲において、種々の改良並びに設計の変更を行っても良い。
例えば、上記実施形態にあっては、動画像に含まれる複数の人物の各々に関連する情報（第１の情報及び第２の情報）を、当該動画像の画像データとは別のファイルに記録するようにしたが、これに限定されるものではない。例えば、動画像の画像データが記録される画像ファイルに、動画像に含まれる複数の人物の各々に関連する情報を付加するようにしてもよい。
【００５２】
また、上記実施形態にあっては、表示パネル１０４ａの第１の表示領域Ｒ１に人物が含まれる動画像を表示するようにしたが、これに限定されるものではない。例えば、人物が含まれる静止画像を第１の表示領域Ｒ１に表示するようにしてもよい。上記実施形態のように画像データが動画像である場合には、人物に係る情報として運動活動に係る情報のような動的な情報を表示するようにすることが効果的であるが、画像データが静止画像である場合には、人物に係る情報として人物各々の係る静的な情報を表示するようにするとよい。
【００５３】
また、上記実施形態にあっては、予め取得された人物が含まれる動画像の画像データと、当該動画像に含まれる複数の人物の各々に関連する情報に対して上記表示制御処理が施される場合を例示して説明したが、例えば、撮像装置から当該動画像の画像データを逐次取得しながら、そして、センサ装置から当該動画像に含まれる複数の人物の各々に関連する情報を逐次取得しながら、リアルタイムで、あるいはほぼリアルタイムで上記表示制御処理を実行するようにしてもよい。
【００５４】
また、上記実施形態にあっては、ユーザ所望の人物が含まれる画像の部分を指定する際のユーザ操作として、タッチパネル１０５ａに対するピンチ操作及びスワイプ操作を例示して説明したが、当該画像の部分を指定可能な操作であればよく、ピンチ操作及びスワイプ操作に限定されるものではない。また、上記画像の部分を指定する際のユーザ操作は、タッチパネル１０５ａに対する所定操作に限定されるものではなく、例えば、操作入力部１０５に備えられたハードウェアキーに対する所定操作（押下操作等）であってもよい。
【００５５】
また、上記実施形態にあっては、第１の特定部１０７ｃは、複数の人物の各々に関連する第２の情報、すなわち当該複数の人物の各々の位置座標（ピクセル座標）を示す情報に基づき、指定された画像の部分に含まれる人物を特定する場合を例示して説明したが、例えば、公知の顔認識処理を用いることによって、指定された画像の部分に含まれる人物を特定するようにしてもよい。
【００５６】
また、上記実施形態にあっては、集約部１０７ｆは、ＡさんＰ１の加速度データを示すA’s DataとＢさんＰ２の加速度データを示すB’s Dataとを平均化した平均データを算出する場合を例示して説明したが、例えば、ＡさんのA’s DataとＢさんのB’s Dataとを合計した合計データ等を算出するようにしてもよい。
【００５７】
また、上記実施形態にあっては、ユーザ所望の人物に係る情報（第１の情報）を指定する際のユーザ操作として、タッチパネル１０５ａに対するタッチ操作により、「A’s Data」又は「B’s Data」の文字を指定する場合を例示して説明したが、ユーザ所望の人物に係る情報（第１の情報）を直接タッチするタッチ操作であってもよく、また、ユーザ所望の人物に係る情報（第１の情報）を指定可能な操作であればタッチ操作の種類は限定されるものではない。また、ユーザ所望の人物に係る情報（第１の情報）を指定する際のユーザ操作は、タッチパネル１０５ａに対する所定操作に限定されるものではなく、例えば、操作入力部１０５に備えられたハードウェアキーに対する所定操作（押下操作等）であってもよい。
【００５８】
また、上記実施形態にあっては、第１の表示制御手段、第１の指定手段、第１の特定手段、取得手段、第２の表示制御手段としての機能を、中央制御部１０１の制御下にて、第１の表示制御部、第１の指定部、第１の特定部、取得部、第２の表示制御部が駆動することにより実現される構成としたが、これに限られるものではなく、中央制御部１０１のＣＰＵによって所定のプログラム等が実行されることにより実現される構成としても良い。
すなわち、プログラムを記憶するプログラムメモリ（図示略）に、第１の表示制御処理ルーチン、第１の指定処理ルーチン、第１の特定処理ルーチン、取得処理ルーチン、第２の表示制御処理ルーチンを含むプログラムを記憶しておく。そして、第１の表示制御処理ルーチンにより中央制御部１０１のＣＰＵを、人物が含まれる画像を第１の表示領域に表示する制御を行う処理を実行する手段として機能させるようにしても良い。また、第１の指定処理ルーチンにより中央制御部１０１のＣＰＵを、前記人物を直接指定するユーザ操作とは異なるユーザ操作で、前記第１の表示領域に表示される人物が含まれる画像の部分を指定する処理を実行する手段として機能させるようにしても良い。また、第１の特定処理ルーチンにより中央制御部１０１のＣＰＵを、第１の指定処理ルーチンにより指定された前記画像の部分に含まれる人物を特定する処理を実行する手段として機能させるようにしても良い。また、取得処理ルーチンにより中央制御部１０１のＣＰＵを、第１の特定処理ルーチンにより特定された人物に係る情報を取得する処理を実行する手段として機能させるようにしても良い。また、第２の表示制御処理ルーチンにより中央制御部１０１のＣＰＵを、取得処理ルーチンにより取得された人物に係る情報を、前記第１の表示領域とは異なる第２の表示領域に表示する制御を行う処理を実行する手段として機能させるようにしても良い。
【００５９】
さらに、上記の各処理を実行するためのプログラムを格納したコンピュータ読み取り可能な媒体として、ＲＯＭやハードディスク等の他、フラッシュメモリ等の不揮発性メモリ、ＣＤ−ＲＯＭ等の可搬型記録媒体を適用することも可能である。また、プログラムのデータを所定の通信回線を介して提供する媒体としては、キャリアウェーブ（搬送波）も適用される。
【００６０】
本発明の実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
人物が含まれる画像を第１の表示領域に表示する制御を行う第１の表示制御手段と、
前記人物を直接指定するユーザ操作とは異なるユーザ操作で、前記第１の表示領域に表示される人物が含まれる画像の部分を指定する第１の指定手段と、
前記第１の指定手段により指定された前記画像の部分に含まれる人物を特定する第１の特定手段と、
前記第１の特定手段により特定された人物に係る情報を取得する取得手段と、
前記取得手段により取得された人物に係る情報を、前記第１の表示領域とは異なる第２の表示領域に表示する制御を行う第２の表示制御手段と、
を備えることを特徴とする表示制御装置。
＜請求項２＞
前記第１の表示制御手段は、前記人物が含まれる画像として、当該人物が含まれる元画像の少なくとも一部を第１の表示領域に表示する制御を行い、
前記第１の指定手段は、前記第１の表示領域に表示される前記元画像の前記一部の部分を変化させるユーザ操作により、当該第１の表示領域に表示される前記画像の部分を指定することを特徴とする請求項１に記載の表示制御装置。
＜請求項３＞
前記第１の指定手段は、前記第１の表示領域に表示される前記元画像の前記部分の広さ、或いは前記元画像の前記部分の位置を変化させるユーザ操作により、当該第１の表示領域に表示される前記画像の部分を指定することを特徴とする請求項２に記載の表示制御装置。
＜請求項４＞
前記第１の指定手段は、前記第１の表示領域に表示されている前記画像内の少なくとも一部を指定するユーザ操作により、当該第１の表示領域に表示される前記画像の部分を指定することを特徴とする請求項１に記載の表示制御装置。
＜請求項５＞
前記取得手段は、前記第１の特定手段により特定された人物が複数である場合に、当該複数の人物の各々に係る情報を取得し、
前記第２の表示制御手段は、前記取得手段により取得された前記複数の人物の各々に係る情報を識別可能に、前記第２の表示領域に表示する制御を行うことを特徴とする請求項１〜４の何れか一項に記載の表示制御装置。
＜請求項６＞
前記取得手段は、前記第１の特定手段により特定された人物が複数である場合に、当該複数の人物の各々に係る情報を取得し、
前記取得手段により取得された前記複数の人物の各々に係る情報を１つの情報に集約する処理を行う集約手段を、更に備え、
前記第２の表示制御手段は、前記集約手段により集約された１つの情報を、前記第２の表示領域に表示する制御を行うことを特徴とする請求項１〜４の何れか一項に記載の表示制御装置。
＜請求項７＞
前記第１の表示制御手段は、前記人物が含まれる画像としての動画像を第１の表示領域に表示する制御を行い、
前記第１の特定手段は、前記第１の指定手段により指定された前記動画像の部分に含まれる人物を逐次特定し、
前記取得手段は、前記第１の特定手段により逐次特定された前記人物に係る情報を逐次取得し、
前記第２の表示制御手段は、前記取得手段により逐次取得された前記人物に係る情報を、前記第２の表示領域に逐次表示する制御を行うことを特徴とする請求項１〜６の何れか一項に記載の表示制御装置。
＜請求項８＞
前記第２の表示領域に識別可能に表示されている前記複数の人物の各々に係る情報の中から一部の人物に係る情報を指定する第２の指定手段と、
前記第２の指定手段により指定された前記一部の人物に係る情報と対応する人物を特定する第２の特定手段と、を更に備え、
前記第１の表示制御手段は、前記第２の特定手段により特定された前記一部の人物のみが含まれる画像を前記第１の表示領域に表示する制御を行うことを特徴とする請求項５に記載の表示制御装置。
＜請求項９＞
人物が含まれる画像を第１の表示領域に表示する制御を行う処理と、
前記人物を直接指定するユーザ操作とは異なるユーザ操作で、前記第１の表示領域に表示される人物が含まれる画像の部分を指定する処理と、
指定された前記画像の部分に含まれる人物を特定する処理と、
特定された人物に係る情報を取得する処理と、
取得された人物に係る情報を、前記第１の表示領域とは異なる第２の表示領域に表示する制御を行う処理と、
を含むことを特徴とする表示制御方法。
＜請求項１０＞
コンピュータに、
人物が含まれる画像を第１の表示領域に表示する制御を行う第１の表示制御機能、
前記人物を直接指定するユーザ操作とは異なるユーザ操作で、前記第１の表示領域に表示される人物が含まれる画像の部分を指定する第１の指定機能、
前記第１の指定機能により指定された前記画像の部分に含まれる人物を特定する第１の特定機能、
前記第１の特定機能により特定された人物に係る情報を取得する取得機能、
前記取得機能により取得された人物に係る情報を、前記第１の表示領域とは異なる第２の表示領域に表示する制御を行う第２の表示制御機能、
を実現させることを特徴とするプログラム。
【符号の説明】
【００６１】
１        表示制御装置
１０１    中央制御部
１０２    メモリ
１０３    記憶部
１０４    表示部
１０４ａ  表示パネル
１０５    操作入力部
１０５ａ  タッチパネル
１０６    通信制御部
１０７    動作処理部
１０７ａ  第１の表示制御部
１０７ｂ  第１の指定部
１０７ｃ  第１の特定部
１０７ｄ  取得部
１０７ｅ  第２の表示制御部
１０７ｆ  集約部
１０７ｇ  第２の指定部
１０７ｈ  第２の特定部
Ｒ１      第１の表示領域
Ｒ２      第２の表示領域
【図１】
2018018291.tif 000003
【図２】
2018018291.tif 000004
【図３】
2018018291.tif 000005